(57)【要約】【課題】  各種収差、特に、歪曲収差が良好に補正された撮像レンズ、特に、デジタルカメラ、デジタルスチルカメラ用撮像レンズとして好適な撮像レンズ及び該撮像レンズを使用した撮像装置を提供することを課題とする。【解決手段】物体側から順に位置した、負の屈折力を有する第１レンズ群Ｇ１、絞りＳＰ、正の屈折力を有する第２レンズ群Ｇ２から成り、前記第１レンズ群は、物体側から順に位置した、物体側に凸面を向けたメニスカス状の負の屈折力を有する第１レンズＬ１及び物体側に凸面を向けたメニスカス状の正の屈折力を有する第２レンズＬ２から成り、前記第２レンズ群は、物体側から順に位置した、両凸形状の正の屈折力を有する第３レンズＬ３、両凹形状で負の屈折力を有する第４レンズＬ４及び正の屈折力を有する第５レンズＬ５から成る撮像レンズ１。【選択図】図１
2007333966.tif 000002
【特許請求の範囲】
【請求項１】
物体側から順に位置した、負の屈折力を有する第１レンズ群、絞り、正の屈折力を有する第２レンズ群から成り、
前記第１レンズ群は、物体側から順に位置した、物体側に凸面を向けたメニスカス状の負の屈折力を有する第１レンズ及び物体側に凸面を向けたメニスカス状の正の屈折力を有する第２レンズから成り、
前記第２レンズ群は、物体側から順に位置した、両凸形状の正の屈折力を有する第３レンズ、両凹形状で負の屈折力を有する第４レンズ及び正の屈折力を有する第５レンズから成る
ことを特徴とする撮像レンズ。
【請求項２】
前記第２レンズの物体側面の最大像高Ymaxでの母球面に対する非球面の変形量をSagR1(ymax)、像側面の変形量をSagR2(ymax)としたとき、以下の条件式（１）を満足することを特徴とする請求項１に記載の撮像レンズ。
（１）SagR1(ymax)／SagR2(ymax)＞０
【請求項３】
前記第１レンズ群の合成焦点距離をＦ１、前記第２レンズ群の合成焦点距離をＦ２、全系の焦点距離をｆ、前記第２レンズ群中の第３レンズの焦点距離をｆ３としたとき、以下の条件式（２）、（３）及び（４）を満足することを特徴とする請求項２に記載の撮像レンズ。
（２）0.9  <f3/f<  1.7
（３）0.06<｜f4/f|<1.1
（４）1.4  <｜F1/F2｜< 2.5
【請求項４】
撮像レンズと、該撮像レンズによって形成された光学像を電気的信号に変換する撮像素子を備えた撮像装置であって、
前記撮像レンズは、物体側から順に位置した、負の屈折力を有する第１レンズ群、絞り、正の屈折力を有する第２レンズ群から成り、
前記第１レンズ群は、物体側から順に位置した、物体側に凸面を向けたメニスカス状の負の屈折力を有する第１レンズ及び物体側に凸面を向けたメニスカス状の正の屈折力を有する第２レンズから成り、
前記第２レンズ群は、物体側から順に位置した、両凸形状の正の屈折力を有する第３レンズ、両凹形状で負の屈折力を有する第４レンズ及び正の屈折力を有する第５レンズから成る
ことを特徴とする撮像装置。
【発明の詳細な説明】
【技術分野】
【０００１】
本発明は新規な撮像レンズ及び撮像装置に関する。詳しくは、結像性能が高く、明るくコンパクトなデジタルカメラやビデオカメラ用の撮像レンズ及び該撮像レンズを用いた撮像装置に関する。
【背景技術】
【０００２】
近年、一般家庭へのゲーム機器の普及に伴い、撮影した人物映像をコンピュータ内に取り込む画像入力機器としてのデジタルカメラが普及しつつある。このようなデジタルカメラにおいては、撮影画像の高解像力化とカメラ装置の小型化、カメラ仕様として大口径比、広角化、さらに、歪曲収差が小さく低コストであることが求めめられている。
【０００３】
従来より、広画角で大口径化が容易な撮像レンズとして負の屈折力を有する前群と、正の屈折力を有する後群で構成されるレトロフォーカス型の撮像レンズが知られている。
【０００４】
例えば、大口径でありコンパクトな撮像レンズとして特許文献１や特許文献２等に示されたものが挙げられる。
【０００５】
【特許文献１】特開２０００−２７５５１４号公報
【特許文献２】特開２０００−１９３８８４号公報
【発明の開示】
【発明が解決しようとする課題】
【０００６】
しかしながら、特許文献１に示された撮像レンズは画角が３２度程度と狭く、さらに歪曲収差が−３％と大きい。一方、特許文献２に示された撮像レンズは、画角は４０度前後と望ましい仕様ではあるが、歪曲収差が−４〜−５％と大きく、さらに、実施例を見るに第２レンズ群（後群）中に接合レンズが含まれており低コスト化が望めない構成となっている。
【０００７】
本発明は、前記した事情に鑑みてなされたものであり、各種収差、特に、歪曲収差が良好に補正された撮像レンズ、特に、デジタルカメラ、デジタルスチルカメラ用撮像レンズとして好適な撮像レンズ及び該撮像レンズを使用した撮像装置を提供することを課題とする。
【課題を解決するための手段】
【０００８】
本発明の一実施形態による撮像レンズは、物体側から順に位置した、負の屈折力を有する第１レンズ群、絞り、正の屈折力を有する第２レンズ群から成り、前記第１レンズ群は、物体側から順に位置した、物体側に凸面を向けたメニスカス状の負の屈折力を有する第１レンズ及び物体側に凸面を向けたメニスカス状の正の屈折力を有する第２レンズから成り、前記第２レンズ群は、物体側から順に位置した、両凸形状の正の屈折力を有する第３レンズ、両凹形状で負の屈折力を有する第４レンズ及び正の屈折力を有する第５レンズから成る。
【０００９】
また、本発明の一実施形態による撮像装置は、撮像レンズと、該撮像レンズによって形成された光学像を電気的信号に変換する撮像素子を備えた撮像装置であって、前記撮像レンズは、物体側から順に位置した、負の屈折力を有する第１レンズ群、絞り、正の屈折力を有する第２レンズ群から成り、前記第１レンズ群は、物体側から順に位置した、物体側に凸面を向けたメニスカス状の負の屈折力を有する第１レンズ及び物体側に凸面を向けたメニスカス状の正の屈折力を有する第２レンズから成り、前記第２レンズ群は、物体側から順に位置した、両凸形状の正の屈折力を有する第３レンズ、両凹形状で負の屈折力を有する第４レンズ及び正の屈折力を有する第５レンズから成る。
【発明の効果】
【００１０】
本発明によれば、各種収差、特に、歪曲収差を良好に補正することができる。
【発明を実施するための最良の形態】
【００１１】
以下に、本発明撮像レンズ及び撮像装置を実施するための最良の形態について図面及び表を参照して説明する。
【００１２】
先ず、撮像レンズについて説明する。
【００１３】
本発明撮像レンズは、物体側から順に位置した、負の屈折力を有する第１レンズ群、絞り、正の屈折力を有する第２レンズ群から成り、前記第１レンズ群は、物体側から順に位置した、物体側に凸面を向けたメニスカス状の負の屈折力を有する第１レンズ及び物体側に凸面を向けたメニスカス状の正の屈折力を有する第２レンズから成り、前記第２レンズ群は、物体側から順に位置した、両凸形状の正の屈折力を有する第３レンズ、両凹形状で負の屈折力を有する第４レンズ及び正の屈折力を有する第５レンズから成る。
【００１４】
物体側から順に、負の屈折力を有する第１レンズ群、絞り、正の屈折力を有する第２レンズ群を配置すると、バックフォーカスを長めにすることができるため、周辺像高で撮像素子への入射角度を浅くすることができる。このことはＣＣＤ（Ｃｈａｒｇｅ Ｃｏｕｐｌｅｄ Ｄｅｖｉｃｅ）やＣＭＯＳ(Ｃｏｍｐｌｅｍｅｎｔａｒｙ  Ｍｅｔａｌ−Ｏｘｉｄｅ  Ｓｅｍｉｃｏｎｄｕｃｔｏｒ)など固体撮像素子を用いた装置では画面中心から周辺にかけての明るさを確保するためには必要な要素であり、デジタルスチルカメラやデジタルビデオカメラ用の撮像レンズとして好適である。
【００１５】
また、絞りを第１レンズ群と第２レンズ群との中間に配置すると、周辺光束の上側光線や下側光束を第１レンズ群や第２レンズ群で意図的に遮光することが容易になるため、特に軸外光束のコマ収差を小さくすることができ高解像度化が可能である。
【００１６】
一般的に、レトロフォーカス型の撮像レンズは、第１レンズ群で発生する負の歪曲と絞りから後方の正のレンズ成分で発生する負の歪曲の方向が一致するため、全系として大きな負の歪曲収差が発生する。そこで、本発では、第２レンズを像側に凹面を向けた正のメニスカスレンズとすることによって、第１レンズで発生する歪曲を第２レンズ群で発生する歪曲とバランスを図って、全体として、歪曲収差を小さくしている。
【００１７】
本発明の一実施形態による撮像レンズは、前記第２レンズの物体側面の最大像高Ymaxでの母球面に対する非球面の変形量をSagR1(ymax)、像側面の変形量をSagR2(ymax)としたとき、以下の条件式（１）を満足することが好ましい。
（１）SagR1(ymax)／SagR2(ymax)＞０
条件式（１）は正のメニスカス形状からなる第２レンズの非球面形状に関し、第２レンズを通過する軸外光束の特にコマ収差、非点収差を良好に補正するためのものである。物体側面、像側面ともに、非球面を形成する面の光軸から周辺にかけて非球面の変形量は母球面に対して像面側に大きくなる方向にするのが好ましい。
【００１８】
条件式（１）の範囲を超えると、非球面の効果が薄れコマ収差及び非点収差の補正が困難となる。なお、非球面の変形量とは、当該レンズ面の最大像高に相当する高さでの母球面に対する非球面の変形量である。光軸に沿って像面側を正とする。
【００１９】
本発明の一実施形態による撮像レンズは、前記第１レンズ群の合成焦点距離をＦ１、前記第２レンズ群の合成焦点距離をＦ２、全系の焦点距離をｆ、前記第２レンズ群中の第３レンズの焦点距離をｆ３としたとき、以下の条件式（２）、（３）及び（４）を満足することが望ましい。
（２）0.9  <f3/f<  1.7
（３）0.06<｜f4/f|<1.1
（４）1.4  <｜F1/F2｜< 2.5
絞りの像面側に位置する第３レンズを両凸レンズとすることは、第１レンズ群を小さくする上で望ましい。特に、条件式（２）を満足することが望ましい。条件式（２）の上限を超えて第３レンズの焦点距離が長くなると、絞りより物体側へ抜ける最周辺光線の射出角度が大きくなり、第１レンズ群を大径化させるため、小型化には不適である。一方、下限を超えて第３レンズの焦点距離が短くなると、バックフォーカスが長くなるため望ましくない。
【００２０】
条件式（３）は第４レンズの焦点距離に関する式であって、上限を超えて第４レンズの焦点距離が長くなると、バックフォーカスが長くなるので光学系の全長を短くすることが難しくなる。一方、下限を超えて第４レンズの焦点距離が短くなると、画面隅での歪曲を抑えることが難しくなる。
【００２１】
条件式（４）はレンズ系を小型化させつつ射出瞳位置を遠方にするための条件式である。下限値を超えてＦ１が小さくなるか、あるいはＦ２が大きくなると、第１レンズ群の径が大型化すること、ペッツバール和が大きくなり像面がアンダーになりすぎ、平らな像面を得ることが難しくなる。一方上限を超えると、反対に第２レンズ群が大型化することや、第２レンズ群の倍率が増大し第１レンズ群で発生する歪曲収差や倍率色収差を第２レンズ群内で補正することが困難となる。
【００２２】
本発明の一実施形態による撮像レンズは、第１レンズは少なくとも１面以上の非球面を有することが望ましい。第１レンズの像面側に非球面を形成する場合、軸上から周辺への非球面の変形量が周辺に行くに従い母球面に対して変形量を小さくする方向にするのが好ましい。これにより、第１レンズ群で発生する歪曲を最小限にすることが出来る。
【００２３】
本発明の一実施形態による撮像レンズは、５枚全てのレンズをプラスチックレンズで構成することが望ましい。これにより、撮像レンズを安価に製造することが出来、また、非球面の形成が容易であるので、全てのレンズ面に非球面を導入することが可能となり、各収差を良好に補正して、高いレンズ性能を得ることができる。
【００２４】
次に、撮像レンズの具体的な実施の形態及び該実施の形態に具体的な数値を適用した数値実施例について図面及び表を参照して説明する。
【００２５】
図１は本発明撮像レンズの第１の実施の形態１のレンズ構成を示す図である。撮像レンズ１は、物体側から順に位置した、負の屈折力を有する第１レンズ群Ｇ１、絞りＳＰ、正の屈折力を有する第２レンズ群Ｇ２から成る。そして、前記第１レンズ群Ｇ１は、物体側から順に位置した、物体側に凸面を向けたメニスカス状の負の屈折力を有する第１レンズＬ１及び物体側に凸面を向けたメニスカス状の正の屈折力を有する第２レンズＬ２から成る。また、前記第２レンズ群Ｇ２は、物体側から順に位置した、両凸形状の正の屈折力を有する第３レンズＬ３、両凹形状で負の屈折力を有する第４レンズＬ４及び両凸形状の正の屈折力を有する第５レンズＬ５から成る。そして、最終レンズ面と像面ＩＰとの間には光学フィルターＧが介挿される。
【００２６】
撮像レンズ１は、物点の移動によるピントの補正、いわゆるフォーカシングをどのレンズ群で行ってもよいし、パンフォーカスとして構成してもよい。
【００２７】
また、撮像レンズ１は、全てのレンズ面を非球面によって構成している。なお、非球面変形量ΔＨ（ｈ）は、面の頂点を原点とし光軸方向をＸ軸とした直交座標系において、頂点曲率半径をｒ、円錐定数をＫ、４次、６次、８次、１０次の非球面係数をそれぞれＡ、Ｂ、Ｃ、Ｄとしたとき、以下の数１式で表される。また、ΔＨ（ｅｆｆｈ）は第３レンズの像面側を通過する最も高い光線位置をＸ軸からの高さとして表したものであり（以降、有効半径という）、またΔＨ（ｅｆｆｈ×０．７）はその有効半径の７割の位置を示す。
【００２８】
【数１】
2007333966.tif 000003
【００２９】
表１に前記した第１の実施の形態１に具体的数値を適用した数値実施例１のレンズデータを示す。この数値実施例１及び後に説明する各数値実施例のレンズデータを示す表中の「ｆ」は全系の焦点距離、「ω」は半画角、「Ｆno」はＦナンバー、「Ｓｉ」は物体側から数えてｉ番目の面、「Ｒ」は上記面Ｓｉの曲率半径、「Ｄ」は物体側から数えてｉ番目の面とｉ＋１番目の面との間の面間隔、「Ｎｄ」は物体側に第ｉ面を有する硝材のｄ線（波長＝５８７．６ｎｍ）での屈折率、「νｄ」は物体側に第ｉ面を有する硝材のｄ線におけるアッベ数、を示すものとする。また、「Ｒ］に関し、「∞」は当該面が平面であることを示す。また、「Ｋ」は円錐定数、「Ａ」、「Ｂ」、「Ｃ」、「Ｄ」は４次、６次、８次及び１０次の非球面係数を示す。なお、非球面係数に関し、「Ｅ−ｉ」は１０を底とする指数表現、すなわち、「１０−ｉ」を表しており、例えば、「0.12345E-05」は「0.12345×10−5」を表している。
【００３０】
【表１】
2007333966.tif 000004
【００３１】
図２は前記数値実施例１の諸収差図を示すものである。そして、球面収差を表す図の縦軸は開放Ｆ値、横軸はデフォーカス、ｄ線は波長587.6nmでの球面収差、ｇ線は波長435.8nmでの球面収差である。また、非点収差を表す図の縦軸は像高を、横軸はデフォーカス、Ｓａｇはサジタル、Ｍｅｒはメリジョナルの像面を表している。また歪曲収差を表す図の縦軸は像高、横軸は％となっている。
【００３２】
なお、撮像レンズ１が小型の情報機器などに組み込まれて実際に使用されるときには、第２レンズ群Ｇ２と撮像素子の受光面との間にローパスフィルタや撮像素子のリッドガラスなどが配置される。そこで、本発明の実施の形態では、撮像レンズ１の設計時において、オハラ社製ＢＫ７（商品名）相当の硝材から成るフィルタをピント面の直近に位置させた状態にすることによって、ローパスフィルタや撮像素子のリッドガラスなどによる影響を考慮するようにした。
【００３３】
図３は本発明撮像レンズの第２の実施の形態２のレンズ構成を示す図である。撮像レンズ２は、物体側から順に位置した、負の屈折力を有する第１レンズ群Ｇ１、絞りＳＰ、正の屈折力を有する第２レンズ群Ｇ２から成る。そして、前記第１レンズ群Ｇ１は、物体側から順に位置した、物体側に凸面を向けたメニスカス状の負の屈折力を有する第１レンズＬ１及び物体側に凸面を向けたメニスカス状の正の屈折力を有する第２レンズＬ２から成る。また、前記第２レンズ群Ｇ２は、物体側から順に位置した、両凸形状の正の屈折力を有する第３レンズＬ３、両凹形状で負の屈折力を有する第４レンズＬ４及び両凸形状の正の屈折力を有する第５レンズＬ５から成る。そして、最終レンズ面と像面ＩＰとの間には光学フィルターＧが介挿される。
【００３４】
撮像レンズ２は、物点の移動によるピントの補正、いわゆるフォーカシングをどのレンズ群で行ってもよいし、パンフォーカスとして構成してもよい。
【００３５】
また、撮像レンズ２は、全てのレンズ面を非球面によって構成している。そして、非球面形状は前記数１式によって表される。
【００３６】
表２に前記した第２の実施の形態２に具体的数値を適用した数値実施例２のレンズデータを示す。
【００３７】
【表２】
2007333966.tif 000005
【００３８】
図４は前記数値実施例２の諸収差図を示すものである。そして、球面収差を表す図の縦軸は開放Ｆ値、横軸はデフォーカス、ｄ線は波長587.6nmでの球面収差、ｇ線は波長435.8nmでの球面収差である。また、非点収差を表す図の縦軸は像高を、横軸はデフォーカス、Ｓａｇはサジタル、Ｍｅｒはメリジョナルの像面を表している。また歪曲収差を表す図の縦軸は像高、横軸は％となっている。
【００３９】
なお、撮像レンズ１が小型の情報機器などに組み込まれて実際に使用されるときには、第２レンズ群Ｇ２と撮像素子の受光面との間にローパスフィルタや撮像素子のリッドガラスなどが配置される。そこで、本発明の実施の形態では、撮像レンズ１の設計時において、オハラ社製ＢＫ７（商品名）相当の硝材から成るフィルタをピント面の直近に位置させた状態にすることによって、ローパスフィルタや撮像素子のリッドガラスなどによる影響を考慮するようにした。
【００４０】
表３に前記数値実施例１及び数値実施例２の条件式（１）〜（４）対応値、各レンズ群及び各レンズの焦点距離（なお、ｆ１：第１レンズＬ１の焦点距離、ｆ２：第２レンズＬ２の焦点距離、ｆ５：第５レンズＬ５の焦点距離とする）を示す。
【００４１】
【表３】
2007333966.tif 000006
【００４２】
数値実施例１、数値実施例２による各撮像レンズとも、条件式（１）〜（４）を満足し、また、各表及び収差図に示すように、簡易なレンズ構成によって、広画角で明るく、小型で各種収差、特に、歪曲収差の発生が少なく、高い光学性能を有する。さらに、射出瞳を像面から十分に離しながら全長を短縮し、撮影画角６５度以上と広画角で、Ｆナンバ２.０〜２．６と大口径のレトロフォーカス型の撮像レンズを達成することができる。
【００４３】
次に、本発明撮像装置について説明する。
【００４４】
本発明撮像装置は、撮像レンズと、該撮像レンズによって形成された光学像を電気的信号に変換する撮像素子を備えた撮像装置であって、前記撮像レンズは、物体側から順に位置した、負の屈折力を有する第１レンズ群、絞り、正の屈折力を有する第２レンズ群から成り、前記第１レンズ群は、物体側から順に位置した、物体側に凸面を向けたメニスカス状の負の屈折力を有する第１レンズ及び物体側に凸面を向けたメニスカス状の正の屈折力を有する第２レンズから成り、前記第２レンズ群は、物体側から順に位置した、両凸形状の正の屈折力を有する第３レンズ、両凹形状で負の屈折力を有する第４レンズ及び正の屈折力を有する第５レンズから成る。
【００４５】
図５に本発明撮像装置をデジタルスチルカメラに適用した一実施形態の内部構成を示すブロック図を示す。
【００４６】
デジタルスチルカメラ１０は、撮像レンズ２０と、該撮像レンズ２０によって形成された光学像を電気的信号に変換する撮像素子３０を備える。また、このデジタルスチルカメラの各部を制御するＣＰＵ（Ｃｅｎｔｒａｌ Ｐｒｏｃｅｓｓｉｎｇ Ｕｎｉｔ）４０を備える。撮像レンズ２０には前記した本発明撮像レンズ、例えば、第１の実施の形態にかかる撮像レンズ１が使用される。撮像レンズ１の他にも第２の実施の形態にかかる撮像レンズ２が使用可能であり、その他にも、本明細書で示した態様以外の態様で実施される本発明撮像レンズ使用することが出来る。撮像素子３０には、例えば、ＣＣＤ（Ｃｈａｒｇｅ Ｃｏｕｐｌｅｄ Ｄｅｖｉｃｅ）やＣＭＯＳ(Ｃｏｍｐｌｅｍｅｎｔａｒｙ  Ｍｅｔａｌ−Ｏｘｉｄｅ  Ｓｅｍｉｃｏｎｄｕｃｔｏｒ)などの固体撮像素子を適用することが出来る。
【００４７】
前記撮像レンズ２０によって形成された光学像は撮像素子３０で受光され、該撮像素子３０によって光電変換された映像信号が前処理回路５１へ送出される。前処理回路５１では、撮像素子３０から送られてきた映像信号に対して、ノイズ成分の除去、ゲイン調整等の前処理を施してＡ／Ｄ（Ａｎａｌｏｇ ／ Ｄｉｇｉｔａｌ）変換回路５２へ送出する。
【００４８】
Ａ／Ｄ変換回路５２は、入力されたアナログ映像信号をデジタル映像信号に変換して、ＤＳＰ（Ｄｉｇｉｔａｌ Ｓｉｇｎａｌ Ｐｒｏｃｅｓｓｏｒ）５３に出力する。
【００４９】
ＤＳＰ５３では、Ａ／Ｄ変換回路５２から入力したデジタル映像信号に基づいてＡＦ（Ａｕｔｏ Ｆｏｃｕｓ）、ＡＥ（Ａｕｔｏ Ｅｘｐｏｓｕｒｅ）及びＡＷＢ（Ａｕｔｏ Ｗｈｉｔｅ Ｂａｌａｎｃｅ）等の制御信号を生成し、その制御信号を、バス６０を介してＣＰＵ４０に供給する。また、ＤＳＰ５３は、入力された映像信号に対して圧縮処理を施す。そして、圧縮された画像データは、バス６０を介して、ＲＡＭ（Ｒａｎｄｏｍ Ａｃｃｅｓｓ Ｍｅｍｏｒｙ）７１等に供給される。なお、ＤＳＰ５３では、ＲＡＭ７１等から受領した圧縮された画像データに対する伸張処理も行う。
【００５０】
ＣＰＵ４０は、ＲＯＭ（Ｒｅａｄ Ｏｎｌｙ Ｍｅｍｏｒｙ）７２に記憶されているプログラム、またはフラッシュメモリ７３からＲＡＭ７１にロードされたプログラムに従って各部を制御したり、各種の処理を実行したりする。ＲＡＭ７１には、ＣＰＵ４０が各種の処理を実行する上において必要なデータや処理途中のデータなども記憶される。
【００５１】
ＣＰＵ４０には、ユーザの操作を受け付ける外部操作入力部４１が接続されている。外部操作入力部４１は、レリーズ釦やメニューボタン等の各種のボタン、絞り値、シャッタスピード、ズーム、フォーカスなどを設定するダイヤル、並びにつまみ（いずれも図示せず）等で構成されており、ユーザが操作することにより、各種のユーザからの操作を受け付け、その操作情報をＣＰＵ４０に供給する。ＣＰＵ４０は、その操作情報に基づいて、各種の処理を実行する。
【００５２】
ＣＰＵ４０は、外部操作入力部７１より入力されたユーザからの操作情報や、ＤＳＰ４３より供給された制御情報、または、各種のプログラムを実行することにより得られた情報等に基づいて、前処理回路５１及びＡ／Ｄ変換回路５２の動作を制御する。また、ＣＰＵ４０は、映像信号の読み出しタイミング等を与えて撮像素子３０の動作を制御するする。
【００５３】
さらに、ＣＰＵ４０は、撮像レンズ２０の開口絞りＳＰを制御して所望の絞り値を得たり、近距離合焦のために所定のレンズ群を移動させるときは、当該レンズ群の駆動制御も行う。
【００５４】
また、ＣＰＵ４０には、バス６０を介して、前記したＲＡＭ７１、ＲＯＭ７２、フラッシュメモリ７３の他、ＬＣＤ（Ｌｉｑｕｉｄ Ｃｒｙｓｔａｌ Ｄｉｓｐｌａｙ）８０に画像を表示させる制御を行う表示制御部８１、メモリカード９０等の外部メモリが装着されるメモリＩ／Ｆ（ＩｎｔｅｒＦａｃｅ）９１、外部のＤＶＤ（Ｄｉｇｉｔａｌ  Ｖｅｒｓａｔｉｌｅ  Ｄｉｓｋ）ドライブ等の外部機器１００を接続するための外部Ｉ／Ｆ（ＩｎｔｅｒＦａｃｅ）１０１等が接続されている。
【００５５】
前記した撮像装置１０は、具体的製品としては、各種の形態を採りうる。例えば、デジタルスチルカメラ、デジタルビデオカメラ、カメラが組み込まれた携帯電話、カメラが組み込まれたＰＤＡ（Personal Digital Assistant）等々のデジタル入出力機器のカメラ部等として、広く適用することができる。
【００５６】
なお、前記した各実施の形態及び数値実施例において示された各部の具体的形状及び数値は、何れも本発明を実施するに際して行う具体化のほんの一例を示したものに過ぎず、これらによって本発明の技術的範囲が限定的に解釈されることがあってはならないものである。
【図面の簡単な説明】
【００５７】
【図１】本発明撮像レンズの第１の実施の形態のレンズ構成を示す図である。
【図２】本発明撮像レンズの第１の実施の形態に具体的数値を適用した数値実施例１の球面収差、非点収差、歪曲収差を示すものである。
【図３】本発明撮像レンズの第２の実施の形態のレンズ構成を示す図である。
【図４】本発明撮像レンズの第２の実施の形態に具体的数値を適用した数値実施例２の球面収差、非点収差、歪曲収差を示すものである。
【図５】本発明撮像装置の実施の形態を示すブロック図である。
【符号の説明】
【００５８】
１…撮像レンズ、２…撮像レンズ、Ｇ１…第１レンズ群、Ｌ１…第１レンズ、Ｌ２…第２レンズ、ＳＰ…絞り、Ｇ２…第２レンズ群、Ｌ３…第３レンズ、Ｌ４…第４レンズ、Ｌ５…第５レンズ、１０…デジタルスチルカメラ（撮像装置）、２０…撮像レンズ、３０…撮像素子
【図１】
2007333966.tif 000007
【図２】
2007333966.tif 000008
【図３】
2007333966.tif 000009
【図４】
2007333966.tif 000010
【図５】
2007333966.tif 000011